(57)【要約】  本発明は、空間的領域に超音波範囲または超音波に近い範囲の音響振動を加えるための装置であって、円柱形の空洞が共振器空間（２２）として形成されている複数の放射面（２０）を有するハウジング（２）を備える装置に関する。ハウジング（２）は、円柱形の内部空間（２４）を有しており、２つに分割された回転に関して固定された垂直軸（４）によって貫かれている。この回転に関して固定された軸（４）の第１の部分（４’）は、間隔ボルト（４４）が間にねじ取り付けされた外側軸受フランジ（４０）および内側軸受フランジ（４５）によって形成されており、電気モータ（６）および減速ギア（７）が、２つの軸受フランジの間に配置されている。回転に関して固定された軸（４）の第２の部分（４’’）は、集電リング（６１）が取り付けられたつぼ状のスリーブ（４８）によって形成され、電流集電装置（６２）が、摺動の態様で集電リング（６１）上に位置しつつ、回転するハウジング（２）に接続されている。配線が、電流集電装置（６２）から内腔（２８）を通って共振器空間（２２）へと続いている。この技術的解決策は、保護すべき領域の効果的な音響照射を可能にする。
2013539653.tif 000002
【特許請求の範囲】
【請求項１】
空間に超音波または超音波に近い範囲の音振動を加えることによって鳥類を追い払うための装置において、
音振動を放射する少なくとも１つの共振器（３）を備え、
該少なくとも１つの共振器（３）がホルダ（１０）上に、またはホルダ（１０）内に、回転可能および／または枢動可能に取り付けられ、
前記装置（１）は、少なくとも１つの共振器（３）が配置されたハウジング（２）を有しており、該ハウジング（２）が、電気モータ（５）とギアボックス（６）とが配置された回転に関して固定された軸（４）に取り付けられ、前記ギアボックスの出力駆動部が、前記ハウジング（２）へと作用して該ハウジング（２）を回転運動させ、前記共振器（３）および前記電気モータへの供給は、前記回転に関して固定された軸（４）を介して行なわれることを特徴とする装置（１）。
【請求項２】
前記ホルダ（１０）がフォーク状に形成され、少なくとも２つの共振器（３）が、前記ハウジング（２）に、回転の方向に外周に沿って均等な分布で配置されており、あるいは雁首部（１０’）が、１つの共振器（３）について１つずつホルダとして配置されていることを特徴とする請求項１に記載の装置。
【請求項３】
前記回転に関して固定された軸（４）が、２つの部分（４’、４’’）へと分割され、該軸（４）の第１の部分（４’）が、内側軸受フランジ（４０）および外側軸受フランジ（４５）で構成され、該軸受フランジが、間隔ボルト（４４）によって互いに接続されており、前記電気モータ（５）および前記ギアボックス（６）が、前記軸受フランジ（４０、４５）の間において、中心に、かつ軸方向において互いに前後に、保持されていることを特徴とする請求項１に記載の装置（１）。
【請求項４】
前記ハウジングが、中空な円柱形の内部（２４）を有し、放射面（２０）が外周に沿って均等な分布で外側に存在し、各々の放射面（２０）において１つの共振器（３）が凹状の共振器空間（２２）に配置されていることを特徴とする請求項１に記載の装置（１）。
【請求項５】
前記ハウジング（２）の前記内部（２４）が、ねじ取り付け蓋（２５）によって両側において閉じられており、前記回転に関して固定された軸（４）が、前記蓋（２５）に取り付けられていることを特徴とする請求項４に記載の装置。
【請求項６】
径方向内側へと向かう周状の環状壁（２７）が、前記ハウジング（２）の前記円柱形の内部（２４）において該ハウジング（２）に形成され、２つに分割された前記軸（４）の前記第１の部分（４’）の前記内側軸受フランジ（４５）が延びる摺動軸受板（４６）が、前記周状の環状壁（２７）に取り付けられていることを特徴とする請求項３および４に記載の装置（１）。
【請求項７】
前記ハウジング（２）の前記蓋（２５）に隣接する前記外側軸受フランジに、軸受ピン（４２）が形成されており、該軸受ピン（４２）を、前記ハウジング（２）を前記フォーク状のホルダ（１０）に取り付ける中空ねじ（４３）が貫いており、該中空ねじ（４３）を通って前記電気モータ（５）のための前記供給配線（６０）が案内されていることを特徴とする請求項３および５に記載の装置（１）。
【請求項８】
前記ギアボックスの前記出力駆動部（７）が、前記内側軸受フランジ（４５）を貫き、前記ハウジング（２）の前記環状壁（２７）に回転に関して固定された態様で接続された前記摺動軸受板（４６）を駆動することを特徴とする請求項６に記載の装置（１）。
【請求項９】
２つに分割された前記回転に関して固定された軸（４）の前記第２の部分（４’’）が、開口端に周状の鍔部（４９）を備えるつぼ状のスリーブ（４８）を有しており、前記蓋（２５）を貫き、中空ねじ（４３）によって前記フォーク状のホルダ（１０）へと接続される前記つぼ状のスリーブ（４８）の前記周状の鍔部（４９）が、内側において前記蓋（２５）へと接続されていることを特徴とする請求項３および５に記載の装置（１）。
【請求項１０】
電気スリップリング（６１）が、前記周状の鍔部（４９）上に絶縁された態様で保持され、前記中空ねじ（４３）を通って挿入される供給配線（６０）へと電気的に接続されていることを特徴とする請求項９に記載の装置（１）。
【請求項１１】
配線（６３）を介して前記共振器空間（２２）へと電流を運ぶ電流集電装置（６２）が、前記スリップリング（６１）に当接していることを特徴とする請求項４および１０に記載の装置（１）。
【請求項１２】
前記ハウジング（２）の前記内部（２４）が、前記環状壁（２７）および前記摺動軸受板（４６）によって駆動空間（４’）および供給空間（４’’）へと分割されていることを特徴とする請求項６に記載の装置（１）。
【請求項１３】
それぞれ１つの穴（２８）が、前記供給空間（４’’）から各々の共振器空間（２２）へと続いていることを特徴とする請求項１に記載の装置（１）。
【請求項１４】
前記電流集電装置（６２）が、前記ハウジング（２）へと接続されるように前記供給空間（４’’）内に保持されることを特徴とする請求項１１および１２に記載の装置（１）。
【請求項１５】
音振動を放射するための共振器において、
鳥類を追い払うための装置の共振器プレートに配置されたパン（pfanne）に収容された石英振動体（３０）を備え、
膜（３１）が、空洞（２２）を形成するように離間した態様で前記石英振動体（３０）の前方に取り付けられている共振器。
【請求項１６】
少なくとも１つの空間に少なくとも１つの共振器によって超音波または超音波に近い振動を加えることによって鳥類、とくには異なる種類およびサイズの鳥類を追い払うための方法において、
前記少なくとも１つの共振器が、バス配線（６４）を介して制御ユニット（６５）によってプログラムされ、該少なくとも１つの共振器が、特定の種類の鳥または特定のサイズの鳥を不安にさせる１つの周波数に自動制御の態様でプログラムされることを特徴とする方法。
【請求項１７】
異なる位置に配置された少なくとも２つの共振器が、同一または異なってプログラムされることを特徴とする請求項１６に記載の方法。
【請求項１８】
少なくとも１つの空間に少なくとも１つの共振器によって超音波または超音波に近い振動を加えることによって鳥類、とくには異なるサイズの鳥類を追い払うための構成において、
前記共振器が、リング幹線またはバス配線（６４）によって電源および制御ユニット（６５）へと接続された自動制御の超音波共振器（３’）であることを特徴とする構成。
【請求項１９】
バス配線（６４）によって互いに接続される少なくとも２つの超音波共振器（３’）が設けられることを特徴とする請求項１８に記載の構成。
【請求項２０】
前記超音波共振器（３’）が、互いに離間した異なる位置に配置されることを特徴とする請求項１８または１９に記載の構成。
【請求項２１】
前記間隔または前記配線（６４）の長さが、最大１０００ｍであることを特徴とする請求項１８に記載の構成。
【請求項２２】
各々の超音波共振器（３’）が、別々のユニットを形成していることを特徴とする請求項１８から２１の少なくとも一項に記載の構成。
【発明の詳細な説明】
【技術分野】
【０００１】
本発明は、超音波または超音波に近い範囲の音振動を空間へと加えることによって鳥類を追い払うための装置であって、音振動を放射する少なくとも１つの共振器を備えており、この少なくとも１つの共振器がホルダに回転可能に取り付けられている装置に関する。
【背景技術】
【０００２】
ラットおよびマウスなどの小型の齧歯動物類を追い払うために超音波を使用することは、スイス特許出願公開第４４０８２１号からすでに知られている。ここでは、感受性領域が、きわめて広くなるように、すなわち１５〜１００ｋＨｚの間になるように依然として指定されている。長年にわたり、研究がますます行なわれており、とくには超音波または超音波に近い範囲の音振動によって鳥類を空間から追い払い、あるいは空間に近づかないようにする研究も行なわれてきている。ドイツ特許出願公開第２７０８２９８号によれば、この目的のために、装置に種々の共振周波数にて動作する複数の共振器が必要であるという見解が示されており、ここでは、これらの信号が重ね合わせられ、変調されている。とくに、これによって慣れの影響を回避できるとされている。鳥類をおびえさせて遠ざけるこの装置において、少なくとも２つの音波共振器が、いわゆる回転タワー（Drehturm）において放射の方向が同じであるように互いに上下に配置され、結果として回転タワーの周囲の空間に、できるかぎり均一であり、できるだけ大きい作用領域を有している放射を到達させることができる。このような装置は、とくに農業において使用されている。作用領域は、一方では音波の強度によって決定されるが、環境条件もこの作用領域にさらなる影響を及ぼす。それらとして、とりわけ地形上の構造および音波に曝される領域の植林が挙げられ、とくには存在する空気の移動も挙げられる。
【０００３】
しかしながら、装置に関する高い費用は、大小の種類の絶え間ない変化を特徴としない鳥の集団の場合にのみ価値がある。大小の種類の絶え間ない変化を特徴とする鳥の集団の場合には、制御に関する高い費用および比較的広い周波数範囲にわたる掃引が必要になり、結果として、それぞれの場合において影響を被らない種類の鳥が集まりかねない「休止領域」が生じる。
【０００４】
後の出願において、同じ出願人が、自身の以前の検討および研究をさらに正確に述べている。そこでは、実質的にすべての鳥が、２０〜２６ｋＨｚの間の範囲の周波数に反応すると判断されている。さらに、音振動の変調が鳥の羽毛に作用すると判断されている。今日では、羽毛による低周波の振動の知覚は、鳥にとって、生じうる空からの攻撃に対する警報システムであると考えられている。高周波の音振動は、頭蓋骨の振動につながり、したがってそのような態様の音波に曝されている空間に進入する鳥は、飛行中にこれに速やかに反応し、方向を変える。現時点において市場に存在する鳥類を追い払うための実質的にすべての装置は、これらの原理に従って動作する。
【０００５】
さらに、欧州特許登録第００３７１０９号明細書が、少なくとも１つの空間を第１の音振動に曝すことによって鳥類および小型の齧歯動物類を追い払うための装置であって、この第１の音振動が少なくとも１つの第２の低周波の音振動で変調される装置を開示している。この装置は、互いに斜めに配置された２つの軸を中心にして回転可能に取り付けられて駆動される音振動を放射するための共振器を備えている。とくには低周波の成分が、羽毛によって不穏と知覚されるはずである。
【０００６】
好ましくは、音波に曝されるべき空間を、回転する装置が、可能なかぎりすき間のない態様で通過しなければならない。しかしながら、建物においては、通過可能な空間が、構造的に制限される。
【０００７】
７０年代以後、これらの装置は、建物の正面が鳥の糞害を被らないよう、建物を保護するために都市においてさらに多く使用されている。建物の正面は、明らかに複雑な構造を有することが多く、そのような正面の全体を音波に曝すことは、比較的複雑である。例えば教会、鉄道の駅、城、などといった歴史的建造物などのそのような正面を保護するために、多数のそのような装置が必要とされる。ドイツ特許出願公開第２７０８２９８号による装置においても可能であるような純粋に均一な放射は、この場合にはもはや充分でない可能性がある。したがって、この装置は、ここでの興味深い欧州特許第００３７１０９号という最も近い先行技術に従って作られている。ここでは、一方ではただ１つの共振器が、フォーク状のホルダにしっかりと保持された水平軸を中心にして回転させられる一方で、フォーク状のホルダそのものは、垂直軸を中心にして回転する。これらの装置は、今や２０年よりも長く使用されてきており、保守の問題も比較的少ないが、駆動ベルトだけはときどきの交換が必要であり、装置の清掃および潤滑が必要である。今日では、設置場所に応じて、およそ３〜５年の保守の期間が想定されている。
【発明の概要】
【０００８】
複雑な正面の構造に加えて、さらなる問題は、装置の設置場所への必要なエネルギの供給である。とくには歴史的建物において、外観に影響を及ぼすことがなく、かつ配線の費用をできるだけ低くするために、結果として、可能なかぎり小さい装置を可能なかぎり目立たない態様で配置する動機が存在する。一方ではｘ軸を中心にし、他方ではｙ軸を中心にして回転する共振器のおかげで、正面の前方の空間を、今や包括的に保護することができる。結果として、鳥の接近でさえも防止される。しかしながら、音響パターンが強く分散しすぎて、その効果が失われてしまうことがないよう、回転そのものについて、水平軸を中心とする速度だけでなく、垂直軸を中心とする速度についても、高すぎてはならないことが問題である。換言すると、より高い回転速度においては、音波に曝される空間にもはやほとんど鳥類が進入することがない点で音波の届く空間的範囲が改善されるが、同時に、結果として、作用領域の大きさが小さくなることが明らかになっている。高い回転速度ゆえに、結果的に、そのような態様で保護される正面に、ごく短時間鳥がとどまることが防止され、あるいは近くの領域に近づくことだけが防止されるが、他方では、より遠い領域は、依然としてほとんど有効には保護されない。したがって、正面における装置の密度を高めることが必要であるが、これが、コストの増加およびそのような正面の美的な問題につながっており、より高い回転速度ゆえに、保守の間隔が大幅に短くなってもいる。より高速で回転する装置は、１つには、１年後または２年後に再び保守を行なわなければならない。したがって、本発明の目的は、鳥類を追い払うための請求項１の前置き部分に記載の装置であって、より大きな空間的範囲をカバーすると同時に、距離も増すことができ、さらに保守の期間も長くすることができる装置を生み出すことにある。
【課題を解決するための手段】
【０００９】
本発明の目的は、装置が、少なくとも１つの共振器が回転の方向に外周に沿って均等な分布で配置されているハウジングを有しており、該ハウジングが、電気モータとギアボックスとが配置された回転に関して固定された軸に取り付けられ、前記ギアボックスの出力駆動部が、前記ハウジングへと作用して該ハウジングを回転運動させ、前記共振器および前記電気モータへの供給が、前記回転に関して固定された軸を介して行なわれることで達成される。
【００１０】
ハウジングのおかげで、複数の共振器を外周において回転の方向に分布させて配置することができ、したがって必要な回転速度が大幅に低くて済むと同時に、音波への曝露の連続性を高く保つことができる。
【００１１】
駆動部がハウジングそのものに配置されるおかげで、この駆動部が最良に保護され、環境の影響を実質的に免れる。個々の共振器の回転速度が低くなるがゆえに、信号のひずみが少なくなり、したがって有効範囲が広がる。この範囲の広がりゆえに、結果として、正面に取り付けるべき装置の数が少なくて済み、これは、とくにはコストの節約に関して必要であるが、とりわけ美観からも必要である。
【００１２】
同様に、例えば一方ではスズメまたは鳩、他方ではカラス、カモメ、またはガンなど、とくには異なるサイズの鳥を追い払わなければならず、好ましくは建物または他の構造物において、可能なかぎり広い空間についてさまざまなサイズの種類の鳥を追い払うことを、少ない支出で可能にしなければならない。
【００１３】
少なくとも１つの超音波共振器をリング幹線またはバス（ＢＵＳ）配線を介して制御することによって、一方では、この配線を介して共振器をプログラムすることができ、他方では、共振器の実際の制御がハウジングそのものに配置され、プログラムされた状態においてエネルギの供給だけが追加的に配線を介して外部から行なわれるため、制御の費用が少なく保たれる。このことにより、およそ５０〜１００個の共振器を最大１０００ｍの距離にわたって配置することを可能にする。共振器は、柔軟かつ個別に、さらには本質的に制御可能である。これは、共振器を対応するプログラミングによって同時または可変の間隔で動作させることができ、好ましくは１および／または２次元において枢動させることができるため、最大で６０％も高い装置の効率を可能にする。
【００１４】
共振器が、分離されたユニットを形成する。
【００１５】
さらなる利点は、簡単な温度調節が可能になることであり、さもないと、放射される周波数が温度の関数として変動する（例えば、より低い温度は、周波数の低下を防止するためにより多くのエネルギ供給を必要とする）。
【００１６】
これまでの装置は、共振器の永続的な外部の中央制御を必要とし、および／または共振器を時間的に連続的に動作させることしかできず、結果として制御ボックスの距離が約１００ｍにさらに制限される。
【００１７】
予期される鳥の種類に応じて、複数の共振器をただ１つの制御ユニットで制御することができる。例えば窓台における小型の鳥ならびに屋根または彫刻における大型の鳥など、さまざまなサイズの種類の鳥は、さまざまな位置で影響を及ぼされ得る。
【００１８】
先行技術のように共振器の周波数を変調させる代わりに、一定の周波数が（鳥のサイズに応じて）プログラムされて使用される。さらに、経験値が、観察の後で影響を有することができる。
【００１９】
２０〜２６ｋＨｚの周波数範囲が好ましい。この場合に、必要とされる周波数が鳥のサイズに反比例することが知られている。
【００２０】
本発明による装置のさらなる好都合な実施の形態が、さらなる従属請求項から明らかになり、その意義および効果が、添付の図面を参照して以下の記述において説明される。本発明の主題の好ましい典型的な実施の形態が、図面に示され、以下で詳しく説明される。
【図面の簡単な説明】
【００２１】
【図１】本発明による装置の中央水平軸を通る縦断面を示している。
【図２】本発明の主題の同じ典型的な実施の形態について、図１の線Ａ−Ａの水平な回転軸に対して垂直な断面を示している。
【図２ａ】共振器を示している。
【図３】装置の好ましい実施の形態の側面図を示している。
【図４】装置の全体的な構造を示している。
【図４ａ】同じ装置の斜視等角図を示している。
【図４ｂ】雁首部および共振器を備える装置を示している。
【図５】本発明による装置の配置を示している。
【発明を実施するための形態】
【００２２】
空間に超音波または超音波に近い範囲の音振動を加えることによって鳥類を追い払うための本発明による装置の全体的な構造を、図３および図４による図に最も明瞭に見て取ることができる。装置の全体が、１で指し示されている。装置は、複数の共振器３を収容するハウジング２と、ハウジング２を保持するフォーク状に形成されたホルダと、を備えている。このフォーク状のホルダ１０または雁首部（schwanenhals）１０’そのものも、同様に共振器を同時に互いに直交する２つの軸を中心にして回転させることができるよう、回転可能および／または枢動可能に取り付けることができる。しかしながら、単に正面をカバーするためには、フォーク状のホルダまたは雁首部に保持された水平な軸を中心とする回転で充分である。ここで、水平な軸は、絶対的に水平な軸を意味するのではなく、むしろ相対的な内容を意味している。この場合、取り付けに応じて、いわゆる水平な軸が、最終的には任意の他の所望の向きをとることができる。例えば、装置が、フォーク状のホルダ１０を保持するホルダの軸１１が正面に対して垂直であるような態様で正面に取り付けられる場合、フォーク状のホルダ１０を正面に平行な平面において回転させることができ、したがって水平な軸は、それに平行に延びるまさにそのような平面において回転する。ハウジング２は、常にこの水平な軸ｈＡを中心にして回転する。
【００２３】
ハウジング２は、基本的には、多面筒の形状を有しており、筒の側面の数が、共振器３の数に等しい。この例では、ハウジング２に実質的に３つの側面が設けられており、この場合において、長手方向の側縁の間の領域だけが切除されている。これにより、一方では体積を減らし、他方では重量を低減させ、さらには特定の加熱を可能なかぎり広い面によって消散させ得ることができるように表面を大きくしている。したがって、ハウジング２の外面は、ここでは３つの側面を有する一方で、角溝２１が、これらの側面２０の間に存在している。円柱形の空洞２２が、側面２０に切削によって形成されている。共振器３が、これらの円柱形の空洞２２に弾性的に、封じられた状態に保たれるように配置される。円柱形の空洞２２は、内側コア空洞２３を有しており、ここでは電気励起回路（ここでは詳しくは示されない）を、このコア空洞に収容することができる。この励起回路が、石英振動体３０に作用し、石英振動体３０の振動が膜３１へと伝わる。次いで、膜３１が、これらの振動を、円柱形の空洞２２の拡大領域にＯリング３３を介して可動に取り付けられた振動板３２へと伝達させる。
【００２４】
ハウジング４２は、円柱形の内部２４を有している。この円柱形の内部２４は、ねじ取り付け蓋２５によって両側において閉じられている。ねじ２６が、この蓋２５をハウジング２へと固定するために使用される。
【００２５】
それらの機能ゆえに、ハウジング２の側面２０は、以下では放射面と呼ばれ、円柱形の空洞２２は、共振器空間と呼ばれる。
【００２６】
外側軸受フランジ４０が玉軸受４１によって蓋２５に取り付けられる円形の穴が、円形の蓋２５の中央に形成されている。この軸受フランジ４０は、中空ねじ（hohlschraube）４３がねじ込まれる中空ピン４２を有している。この中空ねじ４３は、装置１をフォーク状のホルダ１０に非積極的に保持するために使用される。図示の例では、３つの間隔ボルト（distanzboltzen）４４が、外側軸受フランジ４０にねじ取り付けされており、反対側においては内側軸受フランジへと接続されている。したがって、外側軸受フランジ４０と内側軸受フランジ４５との間および間隔ボルト４４の間に、一種のかご状の空間が残され、電気モータ６およびギアボックス７ｔ（すなわち、減速ギア）が、この空間に互いに前後に配置されている。したがって、２つの軸受フランジ４０および４５ならびに間隔ボルト４４は、２つに分割される回転に関して固定された軸の第１の部分を形成する。回転に関して固定された軸のこの第１の部分は、４’で指し示されている。回転するハウジング２が、外側軸受フランジ４０の場合に玉軸受に取り付けられる一方で、内側フランジ４５は、摺動軸受板の中心に保持されるように取り付けられる。この摺動軸受板は、円柱形の空洞を有しており、この円柱形の空洞のサイズに、内側軸受フランジ４５のサイズがわずかな遊びを有して一致する。摺動軸受板４６は、ハウジング２にしっかりと接続されている。摺動軸受板４６は、中空ピン４７を有しており、ハウジングの出力駆動部６が、この中空ピン４７に係合し、固定ねじによってこの中空ピン４７にしっかりと接続され、外周においてハウジング２にねじ取り付けされた摺動軸受板４６を駆動する。この目的のため、ハウジング２は、径方向内側へと向けられた周状の環状壁２７を有している。この環状壁２７は、ハウジング２に一体的につながっている。
【００２７】
電気モータ６に、電気配線６０を介して電力が供給される。これらの電気配線６０は、中空ねじ４３ならびに外側軸受フランジ４０または外側軸受フランジの中空ピン４２を介して電気モータへと電力を直接かつ容易に供給を行なうことができる。
【００２８】
同一の蓋２５が反対側にも存在し、同様に中央の穴を有しており、つぼ状のスリーブが、この中央の穴に保持され、このつぼ状のスリーブが、玉軸受によって蓋に対して回転可能に、したがってハウジング２に対して回転可能に取り付けられている。つぼ状のスリーブ４８は、開口端に周状の鍔部４９を有している。電気スリップリング６１が、ハウジングの内部へと向けられて、この周状の鍔部４９に絶縁された態様で固定されている。対応する中空ねじ４３を通って供給配線６０によって外部から内部へと運ばれる電圧が、このスリップリング６１に印加される。電流集電装置６２が、電気スリップリング６１上を摺動するように回転するハウジング２へと固定的に接続される。電気配線が、電流集電装置６２から電子回路へと通じ、これらの配線によって石英振動体３０が励起される。
【００２９】
円柱形の内部２４の全体が、摺動軸受板４６および周状の環状壁２７によって２つの空間へと分割され、第１の空間が、駆動空間と呼ばれ、第１の空間に、２つに分割される回転に関して固定された軸のすでに述べた第１の部分が位置する一方で、第２の空間は供給空間と呼ばれ、第２の空間に、２つに分割される回転に関して固定された軸の第２の部分４’が摺動リングおよび電流集電装置とともに位置する。穴２８が、供給空間から共振器空間２２へとつながっている。
【００３０】
重要な利点が、空間に超音波または超音波に近い範囲の音振動を加えることによって鳥類を追い払うための本発明による装置のこの独特の形態によって達成される。回転の方向において互いに前後に配置される複数の共振器のおかげで、一定の回転速度において、対応する空間が３倍も頻繁に超音波に曝される。これにより、鳥類が、建物への進路においてすぐに向きを変え、短時間ですらとどまることなく再び飛び去ることが達成される。共振器が１つだけ作動するのであるならば、構造に関する費用は大幅に少なくなると考えられるが、回転速度を高めなければならないと考えられる。しかしながら、これは、摩耗部品がより激しい摩耗に曝されることに直結し、実際の実験において示されているように、有効半径が結果的に最大で３分の１に減少する。結果として、同一の正面の面積をカバーするために、およそ９倍も多くの装置を取り付けなければならず、対応する配線の費用も必要になる。この配線の費用の問題は、すべての装置が１つの制御装置から対応する信号にて作動される従来と異なり、今や実際の回路が共振器空間に直接収容されることでも軽減される。これは、市場において費用対効果に優れた態様で入手することができる今日の一般的な集積回路によって容易に可能である。したがって、本発明によれば、より長い寿命を有し、より大きな作用領域を有し、結果として作動時の全体としてのコストが節約されるより効率的な装置が実現される。
【００３１】
この場合に、大部分においては、本発明による装置を、建物の正面を音波に曝すために使用されるものとして説明した。これは、最も一般的な用途のうちの１つである。しかしながら、同時に、このような装置は、カモメをヨットまたは他のボートに近づけないようにするためにも使用される。結果として節約される清掃のコストは、莫大である。
【００３２】
さらに、そのような装置を、当然ながら、例えばブドウ栽培の領域またはサクランボの木など、農業の領域においても使用することができる。従来からのネットと対照的に、この場合には鳥を傷つけること無く、いわゆる鳥用のカノン砲の場合のように住人が迷惑を被ることもない。最後に、このような装置によれば、空港の領域も、いわゆるバードストライクを実質的に防止するために、より良好に安全にすることができる。上述の例における構成は、建物の種々の地点（窓の庇、屋根領域）に二次元的に枢動できる態様で配置された３つの超音波共振器３’を備えている。これらの超音波共振器３’は、バス配線６４を介して、制御ユニット６５へと接続され、互いに接続される。建物の特定の部分が「適合」サイズの種類の鳥によって好んで接近されるという洞察から出発して、超音波共振器３’は、そのような種類の鳥について効果的な周波数へとプログラムされる。結果として、それぞれの種類の鳥を連続的に追い払うことができるよう、無駄な周波数を含むより広い周波数帯の放射を避けることができる。さらに、制御ユニット６５は、あらゆる気象条件において効果的な周波数を放射できるよう、温度依存性の周波数の調節の実行にも適している（例えば、１８℃における２２．５ｋＨｚの周波数は、−２０℃においておよそ２０ｋＨｚに低下する）。
【符号の説明】
【００３３】
１  装置
２  ハウジング
３  共振器
３’  超音波共振器
４  回転に関して固定された軸
５  電気モータ
６  ギアボックス
１０  フォーク状のホルダ
１０’  雁首部
１１  ホルダの軸
２０  側面または放射面
２１  角溝
２２  円柱形の空洞または共振器空間
２３  コア空洞
２４  円柱形の内部
２５  ねじ取り付けされる蓋
２６  ねじ
２７  環状壁
２８  穴
３０  石英振動体
３１  膜
３２  振動板
３３  Ｏリング
４０  外側軸受フランジ
４１  玉軸受
４２  中空ピン
４３  中空ねじ
４４  間隔ボルト
４５  内側軸受フランジ
４６  摺動軸受板
４７  中空ピン
４８  つぼ状のスリーブ
４９  周状の鍔部
６０  供給配線
６１  スリップリング
６２  電流集電装置
６３  共振器への供給配線
６４  バス配線
６５  制御ユニット
【図１】
2013539653.tif 000003
【図２】
2013539653.tif 000004
【図２ａ】
2013539653.tif 000005
【図３】
2013539653.tif 000006
【図４】
2013539653.tif 000007
【図４ａ】
2013539653.tif 000008
【図４ｂ】
2013539653.tif 000009
【図５】
2013539653.tif 000010
【手続補正書】
【提出日】平成25年5月23日(2013.5.23)
【手続補正１】
【補正対象書類名】特許請求の範囲
【補正対象項目名】全文
【補正方法】変更
【補正の内容】
【特許請求の範囲】
【請求項１】
空間に音圧または超音波若しくは超音波に近い範囲の音振動を加えることによって鳥類を追い払うための装置において、
音振動を放射する少なくとも１つの共振器（３）を備え、
該少なくとも１つの共振器（３）がホルダ（１０）上に、またはホルダ（１０）内に、回転可能および／または枢動可能に取り付けられ、
前記装置（１）は、少なくとも１つの共振器（３）が配置されたハウジング（２）を有しており、該ハウジング（２）が、電気モータ（５）とギアボックス（６）とが配置された回転に関して固定された軸（４）に取り付けられ、前記ギアボックスの出力駆動部が、前記ハウジング（２）へと作用して該ハウジング（２）を回転運動させ、前記共振器（３）および前記電気モータへの供給は、前記回転に関して固定された軸（４）を介して行なわれ、さらに、前記共振器（３）は共振器空間（２２）に配置されていることを特徴とする装置（１）。
【請求項２】
前記ホルダ（１０）がフォーク状に形成され、少なくとも２つの共振器（３）が、前記ハウジング（２）に、回転の方向に外周に沿って均等な分布で配置されており、あるいは１つの共振器（３）のための前記ホルダが、それぞれ、雁首部（１０’）として構成されていることを特徴とする請求項１に記載の装置。
【請求項３】
前記回転に関して固定された軸（４）が、２つの部分（４’、４’’）へと分割され、該軸（４）の第１の部分（４’）が、内側軸受フランジ（４０）および外側軸受フランジ（４５）で構成され、該軸受フランジが、間隔ボルト（４４）によって互いに接続されており、前記電気モータ（５）および前記ギアボックス（６）が、前記軸受フランジ（４０、４５）の間において、中心に、かつ軸方向において互いに前後に、保持されていることを特徴とする請求項１に記載の装置（１）。
【請求項４】
前記ハウジングが、中空な円柱形の内部（２４）を有し、放射面（２０）が外周に沿って均等な分布で外側に存在し、各々の放射面（２０）において１つの共振器（３）が凹状の共振器空間（２２）に配置されていることを特徴とする請求項１に記載の装置（１）。
【請求項５】
前記ハウジング（２）の前記内部（２４）が、ねじ取り付け蓋（２５）によって両側において閉じられており、前記回転に関して固定された軸（４）が、前記蓋（２５）に取り付けられていることを特徴とする請求項４に記載の装置。
【請求項６】
径方向内側へと向かう周状の環状壁（２７）が、前記ハウジング（２）の前記円柱形の内部（２４）において該ハウジング（２）に形成され、さらに、２つに分割された前記軸（４）の前記第１の部分（４’）の前記内側軸受フランジ（４５）が延びる摺動軸受板（４６）が、前記ハウジング（２）に取り付けられていることを特徴とする請求項３および４に記載の装置（１）。
【請求項７】
前記ハウジング（２）の前記蓋（２５）に隣接する前記外側軸受フランジ（４０）に、軸受ピン（４２）が形成されており、該軸受ピン（４２）を、前記ハウジング（２）を前記フォーク状のホルダ（１０）に取り付ける中空ねじ（４３）が貫いており、該中空ねじ（４３）を通って前記電気モータ（５）のための前記供給配線（６０）が案内されていることを特徴とする請求項３および５に記載の装置（１）。
【請求項８】
前記ギアボックスの前記出力駆動部（７）が、前記内側軸受フランジ（４５）を貫き、前記ハウジング（２）の前記環状壁（２７）に回転に関して固定された態様で接続された前記摺動軸受板（４６）を駆動することを特徴とする請求項６に記載の装置（１）。
【請求項９】
２つに分割された前記回転に関して固定された軸（４）の前記第２の部分（４’’）が、開口端に周状の鍔部（４９）を備えるつぼ状のスリーブ（４８）を有しており、前記蓋（２５）を貫き、中空ねじ（４３）によって前記フォーク状のホルダ（１０）へと接続される前記つぼ状のスリーブ（４８）の前記周状の鍔部（４９）が、内側において前記蓋（２５）へと接続されていることを特徴とする請求項３および５に記載の装置（１）。
【請求項１０】
電気スリップリング（６１）が、前記周状の鍔部（４９）上に絶縁された態様で保持され、前記中空ねじ（４３）を通って挿入される供給配線（６０）へと電気的に接続されていることを特徴とする請求項９に記載の装置（１）。
【請求項１１】
配線（６３）を介して前記共振器空間（２２）へと電流を運ぶ電流集電装置（６２）が、前記スリップリング（６１）に当接していることを特徴とする請求項４および１０に記載の装置（１）。
【請求項１２】
前記ハウジング（２）の前記内部（２４）が、前記環状壁（２７）および前記摺動軸受板（４６）によって駆動空間（４’）および供給空間（４’’）へと分割されていることを特徴とする請求項６に記載の装置（１）。
【請求項１３】
それぞれ１つの穴（２８）が、前記供給空間（４’’）から各々の共振器空間（２２）へと続いていることを特徴とする請求項１に記載の装置（１）。
【請求項１４】
前記電流集電装置（６２）が、前記ハウジング（２）へと接続されるように前記供給空間（４’’）内に保持されることを特徴とする請求項１１および１２に記載の装置（１）。
【請求項１５】
前記共振器（３）に、パン（pfanne）に収容された石英振動体（３０）が設けられ、
膜（３１）が、空洞（２２）を形成するように離間した態様で前記石英振動体（３０）の前方に取り付けられていることを特徴とする請求項１に記載の装置（１）。
【請求項１６】
少なくとも１つの空間に少なくとも１つの共振器によって音圧または超音波若しくは超音波に近い振動を加えることによって鳥類、とくには異なる種類およびサイズの鳥類を追い払うための方法において、  
前記少なくとも１つの共振器が、バス配線（６４）を介して制御ユニット（６５）によってプログラムされ、該少なくとも１つの共振器が、特定の種類の鳥または特定のサイズの鳥を不安にさせる１つの周波数に自動制御の態様でプログラムされることを特徴とする方法。
【請求項１７】
異なる位置に配置された少なくとも２つの共振器が、同一または個々に異なってプログラムされることを特徴とする請求項１６に記載の方法。
【請求項１８】
請求項１乃至１５のいずれかに記載の少なくとも１つの装置によって少なくとも１つの空間に音圧または超音波若しくは超音波に近い振動を加えることによって鳥類、とくには異なるサイズの鳥類を追い払うための構成において、
前記共振器（３）が、リング幹線またはバス配線（６４）によって電源および制御ユニット（６５）へと接続された自動制御の超音波共振器（３’）であることを特徴とする構成。
【請求項１９】
バス配線（６４）によって互いに接続される少なくとも２つの超音波共振器（３’）が設けられることを特徴とする請求項１８に記載の構成。
【請求項２０】
前記超音波共振器（３’）が、互いに離間した異なる位置に配置されることを特徴とする請求項１８または１９に記載の構成。
【請求項２１】
前記間隔または前記配線（６４）の長さが、最大１０００ｍであることを特徴とする請求項１８に記載の構成。
【請求項２２】
各々の超音波共振器（３’）が、別々のユニットを形成していることを特徴とする請求項１８から２１の少なくとも一項に記載の構成。
【国際調査報告】
2013539653.tif 000011
2013539653.tif 000012
2013539653.tif 000013
2013539653.tif 000014
2013539653.tif 000015
2013539653.tif 000016
2013539653.tif 000017
2013539653.tif 000018